(57)【要約】【課題】第１コネクタハウジングへのリテーナの挿入時に、当該リテーナのハウジング係止アームがハウジング内の構造部との衝突によって破損することを抑止することができるコネクタを提供すること。【解決手段】第２コネクタハウジング８の筒状部８２が嵌合する隙間５４を端子収容部５１の周囲に画成するフード部５２を備えた第１コネクタハウジング５と、第１コネクタハウジング５の一側面のリテーナ挿入口５２４からハウジング内に挿入されるリテーナ７と、を備えるコネクタ４において、リテーナ７には、当該リテーナ７を仮係止位置及び本係止位置に位置決めするために挿入方向に延在したハウジング係止アーム７１の両端を支持するアーム支持部７２を備える。【選択図】図１
2015195124.tif 000002
【特許請求の範囲】
【請求項１】
端子収容部と、該端子収容部の周囲を囲う筒状構造に形成されて前記端子収容部の周囲に第２コネクタハウジングの筒状部が嵌合する隙間を画成するフード部と、を備えた第１コネクタハウジングと、
前記第１コネクタハウジングの一側面に開口するリテーナ挿入口から前記嵌合方向と直交する方向に沿って前記第１コネクタハウジング内に挿入されるリテーナであって、前記第１コネクタハウジング内に挿入された際に前記第１コネクタハウジング内の係止突起との係合により仮係止位置及び本係止位置に当該リテーナを位置決めするハウジング係止アームと、前記本係止位置に位置したときに前記端子収容部内の端子金具と係合して前記端子金具を抜け止めする端子ロック部と、を備えるリテーナと、
を備えたコネクタであって、
前記リテーナは、挿入方向に延在した前記ハウジング係止アームの両端を支持するアーム支持部を備えていることを特徴とするコネクタ。
【請求項２】
前記ハウジング係止アームは、前記第１コネクタハウジング内の係止突起との係合時にコネクタハウジング相互の嵌合方向に撓み変形するように、前記係止突起と係合するハウジング係止部が設けられていることを特徴とする請求項１に記載の電子機器用コネクタ。
【請求項３】
前記第１コネクタハウジングの前記端子収容部に外嵌する筒状のパッキンを備え、
前記リテーナは、前記端子収容部の前端側から前記パッキンの端部に対向して、前記パッキンの抜け方向への移動を規制するパッキン押さえ部を備えたことを特徴とする請求項１又は２に記載のコネクタ。
【発明の詳細な説明】
【技術分野】
【０００１】
本発明は、第１コネクタハウジングの一側面から当該第１コネクタハウジング内に挿入されるリテーナによって、第１コネクタハウジング内の端子金具を抜け止めするコネクタに関する。
【背景技術】
【０００２】
図１０及び図１１は、下記特許文献１に開示されたコネクタを示している。
このコネクタ１００は、第１コネクタハウジング１１０の一側面１１１から当該第１コネクタハウジング１１０内に挿入されるリテーナ２００によって、第１コネクタハウジング１１０内の端子金具を抜け止めする。
【０００３】
第１コネクタハウジング１１０は、樹脂の射出成形品で、図１０に示すように、略柱状の端子収容部１２０と、該端子収容部１２０の周囲を囲う筒状構造のフード部１３０と、端子収容部１２０に一体形成されるロックアーム１４０と、を備えている。
【０００４】
端子収容部１２０は、電線端に接続された端子金具を保持する部位で、相手コネクタハウジングとの嵌合方向（図１０の矢印Ｙ１方向）に沿って延在する柱状である。この端子収容部１２０は、端子金具を収容する複数の端子収容孔１２１が、コネクタ幅方向（図１０では、矢印Ｘ１方向で、コネクタハウジング相互の嵌合方向Ｙ１と直交する方向）に一定間隔で、一列に配列されている。それぞれの端子収容孔１２１は、相手コネクタハウジングとの嵌合方向Ｙ１に沿って延在している。
【０００５】
また、端子収容部１２０は、後述するリテーナ２００の仮係止用ランス２２０や端子ロック部２３０が挿通するリテーナ挿通部１２３と、リテーナ２００を仮係止位置に係止する仮係止部と、リテーナ２００を本係止位置に係止する本係止部と、を備えている。
【０００６】
フード部１３０は、相手のコネクタハウジングの筒状部の外周に嵌合する部位である。このフード部１３０は、図１０に示すように、端子収容部１２０の周囲に、相手のコネクタハウジングの筒状部が嵌合する隙間１５１を画成している。
【０００７】
第１コネクタハウジング１１０の一側面１１１であるフード部１３０の一方の側面１３１には、図１１に示すように、リテーナ挿入口１３２が開口している。このリテーナ挿入口１３２は、リテーナ２００を挿入するための開口で、フード部１３０の側面１３１を提供する一側壁部１３４を、コネクタ幅方向Ｘ１に貫通している。
【０００８】
また、前述した端子収容部１２０のリテーナ挿通部１２３は、フード部１３０のリテーナ挿入口１３２と対向する位置に装備されている。
【０００９】
ロックアーム１４０は、第１コネクタハウジング１１０と相手のコネクタハウジングとの嵌合が完了したときに、相手のコネクタハウジングのロック突起と係合して、コネクタハウジング相互の結合状態をロックする。
【００１０】
リテーナ２００は、前述のリテーナ挿入口１３２からコネクタ幅方向Ｘ１に沿って、第１コネクタハウジング１１０内に挿入される。
【００１１】
このリテーナ２００は、図１０及び図１１に示すように、ハウジング係止アーム２１０と、仮係止用ランス２２０と、端子ロック部２３０と、支持部２４０と、を備えている。
【００１２】
ハウジング係止アーム２１０は、支持部２４０の上下端部からコネクタ幅方向Ｘ１に延出したアームである。先端は自由端で、基端が支持部２４０に支持された片持ち梁状である。このハウジング係止アーム２１０は、内面側に突出させた係止突起２１１（図１１参照）を、端子収容部１２０の外周面の仮係止部又は本係止部に係合させることで、リテーナ２００を仮係止位置又は本係止位置に位置決めする。
【００１３】
リテーナ２００に装備された仮係止用ランス２２０は、リテーナ２００が仮係止位置に位置決めされたときに、端子収容孔１２１に臨んだ位置に到達し、端子収容孔１２１に挿通される端子金具と係合し、端子金具の抜け止めをする。仮係止用ランス２２０は、端子金具の端子収容孔１２１への挿入は許容するが、端子収容孔１２１に挿入された端子金具と係合することで、端子金具を抜け止めする。
【００１４】
リテーナ２００に装備された端子ロック部２３０は、リテーナ２００が本係止位置に位置決めされたときに、端子収容孔１２１内に突出し、仮係止用ランス２２０により係止されている端子金具と係合し、端子金具を固定する。
【００１５】
支持部２４０は、リテーナ２００の基端側に装備されていて、ハウジング係止アーム２１０、仮係止用ランス２２０、端子ロック部２３０を支持する支持部となっている。
【先行技術文献】
【特許文献】
【００１６】
【特許文献１】特開２０１０−７３３７５号公報
【発明の概要】
【発明が解決しようとする課題】
【００１７】
ところで、特許文献１のコネクタ１００の場合、リテーナ２００を第１コネクタハウジング１１０のリテーナ挿入口１３２に挿入した際、リテーナ２００が本来の挿入方向（コネクタ幅方向Ｘ１）に対して傾いていると、ハウジング係止アーム２１０の先端が端子収容部１２０の外周面と当たって、ハウジング係止アーム２１０の撓み変形が発生する。そして、特許文献１のコネクタ１００の場合、ハウジング係止アーム２１０の支持構造が片持ち梁状であるため、ハウジング係止アーム２１０の先端が撓み易く、端子収容部１２０に衝突したハウジング係止アーム２１０の先端が大きく撓んで、ハウジング係止アーム２１０の破損を招くおそれがあった。
【００１８】
そこで、本発明の目的は、上記課題を解消することに係り、第１コネクタハウジングへのリテーナの挿入時に、当該リテーナのハウジング係止アームがハウジング内の構造部との衝突によって破損することを抑止することができるコネクタを提供することにある。
【課題を解決するための手段】
【００１９】
本発明の前述した目的は、下記の構成により達成される。
（１）  端子収容部と、該端子収容部の周囲を囲う筒状構造に形成されて前記端子収容部の周囲に第２コネクタハウジングの筒状部が嵌合する隙間を画成するフード部と、を備えた第１コネクタハウジングと、
前記第１コネクタハウジングの一側面に開口するリテーナ挿入口から前記嵌合方向と直交する方向に沿って前記第１コネクタハウジング内に挿入されるリテーナであって、前記第１コネクタハウジング内に挿入された際に前記第１コネクタハウジング内の係止突起との係合により仮係止位置及び本係止位置に当該リテーナを位置決めするハウジング係止アームと、前記本係止位置に位置したときに前記端子収容部内の端子金具と係合して前記端子金具を抜け止めする端子ロック部と、を備えるリテーナと、
を備えたコネクタであって、
前記リテーナは、挿入方向に延在した前記ハウジング係止アームの両端を支持するアーム支持部を備えていることを特徴とするコネクタ。
【００２０】
（２）  前記ハウジング係止アームは、前記第１コネクタハウジング内の係止突起との係合時にコネクタハウジング相互の嵌合方向に撓み変形するように、前記係止突起と係合するハウジング係止部が設けられていることを特徴とする上記（１）に記載の電子機器用コネクタ。
【００２１】
（３）  前記第１コネクタハウジングの前記端子収容部に外嵌する筒状のパッキンを備え、
前記リテーナは、前記端子収容部の前端側から前記パッキンの端部に対向して、前記パッキンの抜け方向への移動を規制するパッキン押さえ部を備えたことを特徴とする上記（１）又は（２）に記載のコネクタ。
【００２２】
上記（１）の構成によれば、第１コネクタハウジングに挿入するリテーナのハウジング係止アームの支持構造が、両端を支持した両持ち梁状の構造となる。そのため、片持ち梁状の支持構造の場合と比較すると、ハウジング係止アームの先端に撓み変形が生じ難く、ハウジング係止アームの強度が向上する。したがって、リテーナの第１コネクタハウジングへの挿入時に、第１コネクタハウジング内の部位との衝突によるハウジング係止アームの先端の変形を抑えて、ハウジング係止アームの破損を抑止することができる。
ことができる。
【００２３】
上記（２）の構成によれば、リテーナのハウジング係止アームは、第１コネクタハウジング内の係止突起と係合時に、コネクタハウジング相互の嵌合方向に撓み変形するように、係止突起と係合するハウジング係止部が設けられている。したがって、ハウジング係止アームの撓みを許容する逃げ空間は、コネクタハウジング相互の嵌合方向に設けておけば良い。即ち、ハウジング係止アームの撓みを許容する逃げ空間を、コネクタハウジング相互の嵌合方向と直交するハウジングの高さ方向に装備する必要が無くなり、コネクタの低背化を図ることができる。
【００２４】
上記（３）の構成によれば、第１コネクタハウジングの端子収容部にパッキンを装着した後、第１コネクタハウジングにリテーナを装着すると、リテーナに備えたパッキン押さえ部が、パッキンの抜け方向への移動を規制する。そのため、リテーナを装着しておくことで、保管時や運搬時にパッキンの脱落を防止することができる。
【発明の効果】
【００２５】
本発明によるコネクタによれば、第１コネクタハウジングへのリテーナの挿入時に、当該リテーナのハウジング係止アームがハウジング内の構造部との衝突によって破損することを抑止することができる。
【００２６】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２７】
【図１】図１は本発明に係るコネクタの一実施形態の分解斜視図である。
【図２】図２は図１に示した第１コネクタハウジングの正面図である。
【図３】図３は図１に示した第１コネクタハウジングの背面図である。
【図４】図４は図１に示したリテーナの拡大斜視図である。
【図５】図５は図４に示したリテーナのＡ矢視図である。
【図６】図６は図１に示した第１コネクタハウジングおけるリテーナ装着開始時の状態を示す水平断面図である。
【図７】図７は図１に示した第１コネクタハウジングおけるリテーナ装着途中の状態を示す水平断面図である。
【図８】図８は図１に示した第１コネクタハウジングおけるリテーナ装着完了時の状態を示す水平断面図である。
【図９】図９は図１に示したコネクタの断面図である。
【図１０】図１０は従来のコネクタの斜視図である。
【図１１】図１１は図１０に示したコネクタを別の角度から視た斜視図である。
【発明を実施するための形態】
【００２８】
以下、本発明に係るコネクタの好適な実施形態について、図面を参照して詳細に説明する。
【００２９】
図１〜図９は本発明に係るコネクタの一実施形態を示したもので、図１は本発明に係るコネクタの一実施形態の分解斜視図、図２は図１に示した第１コネクタハウジングの正面図、図３は図１に示した第１コネクタハウジングの背面図、図４は図１に示したリテーナの拡大斜視図、図５は図４に示したリテーナのＡ矢視図、図６は図１に示した第１コネクタハウジングおけるリテーナ装着開始時の状態を示す水平断面図、図７は図１に示した第１コネクタハウジングおけるリテーナ装着途中の状態を示す水平断面図、図８は図１に示した第１コネクタハウジングおけるリテーナ装着完了時の状態を示す水平断面図、図９は図１に示したコネクタの断面図である。
【００３０】
この一実施形態のコネクタ４は、防水コネクタで、図１に示すように、第１コネクタハウジング５と、後述する第１コネクタハウジング５の端子収容部５１に嵌合装着される筒状のパッキン６と、第１コネクタハウジング５の一側面から第１コネクタハウジング５内に挿入されるリテーナ７と、第１コネクタハウジング５の接続相手となる第２コネクタハウジング８と、を備えている。
【００３１】
第１コネクタハウジング５は、樹脂材料で一体形成したもので、不図示の第１の端子金具を収容する端子収容部５１と、該端子収容部５１の周囲を囲う筒状構造に形成されたフード部５２と、端子収容部５１に一体に形成されたロックアーム５３と、を備えている。
【００３２】
端子収容部５１は、第２コネクタハウジング８との嵌合方向（図１及び図８における矢印Ｘ２方向）に沿って延在する略柱状に形成された部位である。この端子収容部５１は、図２及び図３に示すように、コネクタ幅方向Ｙ２に沿って一列に複数（図示例では、２個）の端子収容孔５１１を配列している。それぞれの端子収容孔５１１は、不図示の第１の端子金具（雌端子金具）を収容する孔であり、第２コネクタハウジング８との嵌合方向Ｘ２に沿って延在している。
【００３３】
また、端子収容部５１は、図６〜図８に示すように、リテーナ挿通部５１４と、リテーナ係止部５１５と、を備えている。なお、図６〜図８に示した第１コネクタハウジング５の断面は、図２のＦ−Ｆ線に沿う断面である。
【００３４】
リテーナ挿通部５１４は、図６〜図８に示すように、後述するリテーナ７のハウジング係止アーム７１、仮係止用ランス７３、及び端子ロック部７４が挿通する孔部である。このリテーナ挿通部５１４は、後述するフード部５２に形成されたリテーナ挿入口５２４と対向する位置に、コネクタ幅方向Ｙ２に貫通して形成されている。
【００３５】
リテーナ係止部５１５は、図６に示すように、第１コネクタハウジング５の前端側に位置するリテーナ挿通部５１４の内壁面５１６に突設された係止突起である。このリテーナ係止部５１５は、リテーナ挿通部５１４に挿入されたリテーナ７が仮係止位置に到達したときに、リテーナ７のハウジング係止アーム７１上の仮係止用ハウジング係止部７１３と係合することで、リテーナ７を仮係止位置に係止する。また、リテーナ係止部５１５は、リテーナ挿通部５１４に挿入されたリテーナ７が本係止位置に到達したときに、リテーナ７のハウジング係止アーム７１上の本係止用ハウジング係止部７１４と係合することで、リテーナ７を本係止位置に係止する。
【００３６】
即ち、本実施形態におけるリテーナ係止部５１５は、リテーナ７を仮係止位置に係止するリテーナ仮係止部として機能すると共に、リテーナ７を本係止位置に係止するリテーナ本係止部としても機能する。
【００３７】
フード部５２は、図１及び図６に示すように、端子収容部５１の周囲に、後述する第２コネクタハウジング８の筒状部８２が嵌合する隙間５４を画成している。このフード部５２は、隙間５４に嵌合する第２コネクタハウジング８の筒状部８２の外周に嵌合する。本実施形態のフード部５２は、図１に示すように、後述する第２コネクタハウジング８の水平ガイドリブ８４が摺動可能に嵌合する水平ガイド溝５２１と、後述する第２コネクタハウジング８の垂直ガイドリブ８５が摺動可能に嵌合する垂直ガイド溝５２２（図２参照）と、を備えている。
【００３８】
フード部５２に装備された水平ガイド溝５２１及び垂直ガイド溝５２２は、第１コネクタハウジング５と第２コネクタハウジング８との嵌合操作時に、後述する第２コネクタハウジング８の水平ガイドリブ８４及び垂直ガイドリブ８５が嵌合することで、両者の移動方向を規制して一方のコネクタハウジングが傾くことを防止し、拗じりの発生を防止する。
【００３９】
本実施形態の第１コネクタハウジング５では、図１及び図６に示すように、フード部５２の一側面５２３に、リテーナ挿入口５２４が貫通形成されている。リテーナ挿入口５２４は、リテーナ７を挿入するための開口で、図６に示した端子収容部５１のリテーナ挿通部５１４と対向する位置に設けられている。そのため、リテーナ挿入口５２４に挿入したリテーナ７のハウジング係止アーム７１、仮係止用ランス７３、端子ロック部７４を、リテーナ挿通部５１４に挿通させることができる。
【００４０】
ロックアーム５３は、図９に示すように第２コネクタハウジング８の筒状部８２と端子収容部５１との嵌合長が所定値に達して、第１コネクタハウジング５と第２コネクタハウジング８との嵌合が完了したときに、第２コネクタハウジング８上のロック突起８３と係合して、第１コネクタハウジング５と第２コネクタハウジング８との嵌合状態をロックする。
【００４１】
本実施形態のロックアーム５３は、フード部５２の内側に第２コネクタハウジング８の筒状部８２が嵌合するとき、自由端側が第２コネクタハウジング８の筒状部８２の上面と直交する方向に撓み変位可能に、端子収容部５１に一体に形成されている。
【００４２】
パッキン６は、第１コネクタハウジング５の端子収容部５１に外嵌する筒状で、適度な弾性を備えた合成ゴム又は天然ゴムにより一体成形される。
【００４３】
このパッキン６は、図９に示すように、内周面６１が端子収容部５１の外周面に密着する平滑面になっている。また、パッキン６は、外周面６２に、第２コネクタハウジング８筒状部８２の内周に密着する２本の環状突起（リップ部）６２１が装備されている。このパッキン６は、図９に示すように、内周面６１を端子収容部５１の外周面に密着させ、外周面６２の環状突起６２１を筒状部８２の内周面に密着させることで、ハウジング内部の防水性を確保する。
【００４４】
リテーナ７は、図６に示すように、第１コネクタハウジング５の一側面に開口するリテーナ挿入口５２４から、第１コネクタハウジング５内に、コネクタ幅方向Ｙ２に沿って挿入される。図１及び図６の矢印Ｙ３は、リテーナ７の挿入方向を示している。
【００４５】
本実施形態のリテーナ７は、樹脂による一体成形品で、図４及び図５に示すように、ハウジング係止アーム７１と、アーム支持部７２と、仮係止用ランス７３と、端子ロック部７４と、パッキン押さえ部７５と、を備えている。
【００４６】
ハウジング係止アーム７１は、端子収容部５１のリテーナ挿通部５１４への挿入方向（コネクタ幅方向Ｙ２）に沿って延在する棒状のアーム本体７１１と、該アーム本体７１１上に形成されたハウジング係止部７１２と、を備えている。
【００４７】
ハウジング係止部７１２は、図４に示すように、仮係止用ハウジング係止部７１３と、本係止用ハウジング係止部７１４と、を備えている。
【００４８】
仮係止用ハウジング係止部７１３は、図７に示すように、ハウジング係止アーム７１がリテーナ挿通部５１４に挿入されて、リテーナ７が仮係止位置に到達したときに、リテーナ挿通部５１４内のリテーナ係止部（係止突起）５１５と係合して、リテーナ７を仮係止位置（図７に示した位置）に位置決め（仮止め）する。
【００４９】
本係止用ハウジング係止部７１４は、図８に示すように、ハウジング係止アーム７１がリテーナ挿通部５１４に挿入されて、リテーナ７が本係止位置に到達したときに、リテーナ挿通部５１４内のリテーナ係止部（係止突起）５１５と係合して、リテーナ７を本係止位置（図８に示した位置）に位置決めする。
【００５０】
即ち、ハウジング係止アーム７１は、リテーナ７が第１コネクタハウジング５内のリテーナ挿通部５１４に挿入された際に、仮係止用ハウジング係止部７１３又は本係止用ハウジング係止部７１４がリテーナ係止部５１５と係合することにより、リテーナ７を仮係止位置又は本係止位置に位置決めする。
【００５１】
また、ハウジング係止アーム７１は、第１コネクタハウジング５内のリテーナ係止部５１５との係合時に、コネクタハウジング相互の嵌合方向Ｘ２（図４では、矢印Ｘ４方向）に撓み変形するように、アーム本体７１１の前端面７１１ａに、ハウジング係止部７１２を装備している。アーム本体７１１の前端面７１１ａは、コネクタハウジング相互の嵌合方向と直交する面である。そして、ハウジング係止部７１２を構成する仮係止用ハウジング係止部７１３と本係止用ハウジング係止部７１４とは、前端面７１１ａ上で、リテーナ挿通部５１４への挿入方向に沿って、距離Ｌ２だけ位置をずらして装備されている。
【００５２】
アーム支持部７２は、アーム本体７１１から下方に所定距離隔てた位置において、リテーナ挿通部５１４への挿入方向（コネクタ幅方向Ｙ２）に沿って延在する略棒状の支持部本体７２１と、この支持部本体７２１の両端から垂直上方に延出して、支持部本体７２１の両端をハウジング係止アーム７１の両端に結合する端部支持部７２２，７２３と、を備えている。支持部本体７２１は、アーム本体７１１と平行に延在している。
【００５３】
本実施形態のアーム支持部７２は、一対の端部支持部７２２，７２３によって、ハウジング係止アーム７１の両端を支持する。
【００５４】
即ち、本実施形態のリテーナ７では、ハウジング係止アーム７１の支持構造は、リテーナ挿通部５１４への挿入方向に離間した当該ハウジング係止アーム７１の両端を端部支持部７２２，７２３によって支持した両持ち梁状の支持構造になっている。
【００５５】
仮係止用ランス７３は、支持部本体７２１から、コネクタハウジング相互の嵌合方向に沿って延出した弾性係止片である。この仮係止用ランス７３は、リテーナ７が仮係止位置に位置決めされたとき、端子収容孔５１１に臨む位置に位置決めされ、端子収容孔５１１に挿入される端子金具を抜け止めする。仮係止用ランス７３は、端子収容孔５１１への端子金具の挿入を許容し、端子収容孔５１１に挿入された端子金具と係合して、端子金具を抜け止めする。
【００５６】
端子ロック部７４は、図５に示すように、支持部本体７２１の下面に隆起形成された突起である。この端子ロック部７４は、リテーナ７が本係止位置に位置決めされたとき、端子収容孔５１１内に突出し、仮係止用ランス７３により仮係止されている端子金具と係合し、端子金具を抜け止めする。端子ロック部７４が端子収容孔５１１内に突出している状態では、端子金具を端子収容孔５１１に挿入することはできない。
【００５７】
パッキン押さえ部７５は、図４及び図６に示したように、リテーナ７の端部支持部７２２，７２３の外側面からコネクタ幅方向に突出した部位である。このパッキン押さえ部７５は、図８に示したように、リテーナ７が第１コネクタハウジング５内の本係止位置に到達した状態では、端子収容部５１の前端側からパッキン６の端部６３に対向して、パッキン６の抜け方向（図８では、矢印Ｘ５方向）への移動を規制する。
【００５８】
第２コネクタハウジング８は、装置等の筐体９に固定装備されるハウジングである。また、この第２コネクタハウジング８は、樹脂の一体成形品で、図１に示すように、第２の端子金具の先端部が突出する端子配列空間８１と、筒状部８２と、ロック突起８３と、水平ガイドリブ８４と、垂直ガイドリブ８５と、を備えている。
【００５９】
端子配列空間８１は、端子収容部５１内の第１の端子金具に嵌合させる第２の端子金具（図示せず）の先端部が突出する空間である。
【００６０】
筒状部８２は、端子配列空間８１の周囲を囲う筒状で、端子配列空間８１を画成している。この筒状部８２は、第１コネクタハウジング５の隙間５４に挿入されて、端子収容部５１の外周に嵌合する。このとき、筒状部８２は、フード部５２の内周に嵌合した状態になっている。端子収容部５１に外嵌した筒状部８２の内周面には、図９に示すように、パッキン６の環状突起６２１が密着し、筒状部８２と端子収容部５１との間の隙間が密封される。
【００６１】
ロック突起８３は、筒状部８２の外表面に突設された突起である。このロック突起８３は、筒状部８２と端子収容部５１との嵌合長が所定値に達したときに、図９に示したように、ロックアーム５３と係合して、第１コネクタハウジング５と第２コネクタハウジング８との結合状態をロックする。
【００６２】
水平ガイドリブ８４は、第１コネクタハウジング５と第２コネクタハウジング８との嵌合時に、第１コネクタハウジング５の水平ガイド溝５２１と摺動可能に係合し、ハウジング相互間に傾きが生じることを防止する。
【００６３】
垂直ガイドリブ８５は、第１コネクタハウジング５と第２コネクタハウジング８との嵌合時に、第１コネクタハウジング５の垂直ガイド溝５２２と摺動可能に係合し、ハウジング相互間に傾きが生じることを防止する。
【００６４】
即ち、本実施形態の第１コネクタハウジング５と第２コネクタハウジング８は、第１コネクタハウジング５に装備された水平ガイド溝５２１及び垂直ガイド溝５２２に、第２コネクタハウジング８の水平ガイドリブ８４と垂直ガイドリブ８５が係合することで、コネクタハウジング相互の移動方向を、嵌合方向から傾きが生じないように規制する。
【００６５】
以上に説明した一実施形態のコネクタ４の構成の場合、第１コネクタハウジング５に挿入するリテーナ７のハウジング係止アーム７１の支持構造が、両端を支持した両持ち梁状の構造となる。そのため、片持ち梁状の支持構造の場合と比較すると、ハウジング係止アーム７１の先端に撓み変形が生じ難く、ハウジング係止アーム７１の強度が向上する。リテーナ７の第１コネクタハウジング５への挿入時に、例えば、リテーナ７が図６の矢印Ｘ６方向に傾いた場合に、リテーナ７におけるハウジング係止アーム７１の先端側が、第１コネクタハウジング５内のリテーナ挿通部５１４の周縁部などの部位と衝突することがある。しかし、ハウジング係止アーム７１が強度の高い両持ち梁状の支持構造であるため、ハウジング係止アーム７１の先端の変形を抑えて、ハウジング係止アーム７１の破損を抑止することができる。
【００６６】
また、以上に説明した一実施形態のコネクタ４の構成の場合、図７及び図８に示すように、リテーナ７のハウジング係止アーム７１は、第１コネクタハウジング５内の係止突起であるリテーナ係止部５１５と係合するとき、コネクタハウジング相互の嵌合方向Ｘ２に撓み変形するように、リテーナ係止部５１５と係合するハウジング係止部７１２が設けられている。したがって、ハウジング係止アーム７１の撓みを許容する逃げ空間は、コネクタハウジング相互の嵌合方向Ｘ２に設けておけば良い。即ち、ハウジング係止アーム７１の撓みを許容する逃げ空間を、コネクタハウジング相互の嵌合方向Ｘ２と直交するハウジングの高さ方向に装備する必要が無くなり、第１コネクタハウジング５の高さ方向の寸法Ｈ１の増大を抑えて、コネクタ４の低背化を図ることができる。
【００６７】
更に、以上に説明した一実施形態のコネクタ４の構成の場合、第１コネクタハウジング５の端子収容部５１にパッキン６を装着した後、第１コネクタハウジング５にリテーナ７を装着すると、図８に示すように、リテーナ７に備えたパッキン押さえ部７５が、パッキン６の端部６３に対峙して、パッキン６の抜け方向への移動を規制する。そのため、リテーナ７を装着しておくことで、保管時や運搬時にパッキン６の脱落を防止することができる。
【００６８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６９】
ここで、上述した本発明に係るコネクタの実施形態の特徴をそれぞれ以下［１］〜［３］に簡潔に纏めて列記する。
【００７０】
［１］  端子収容部（５１）と、該端子収容部（５１）の周囲を囲う筒状構造に形成されて前記端子収容部（５１）の周囲に第２コネクタハウジング（８）の筒状部（８２）が嵌合する隙間（５４）を画成するフード部（５２）と、を備えた第１コネクタハウジング（５）と、
前記第１コネクタハウジング（５）の一側面に開口するリテーナ挿入口（５２４）から前記嵌合方向と直交する方向に沿って前記第１コネクタハウジング（５）内に挿入されるリテーナ（７）であって、前記第１コネクタハウジング（５）内に挿入された際に前記第１コネクタハウジング（５）内の係止突起（５１５）との係合により仮係止位置及び本係止位置に当該リテーナ（７）を位置決めするハウジング係止アーム（７１）と、前記本係止位置に位置したときに前記端子収容部（５１）内の端子金具と係合して前記端子金具を抜け止めする端子ロック部（７４）と、を備えるリテーナ（７）と、
を備えたコネクタ（４）であって、
前記リテーナ（７）は、挿入方向に延在した前記ハウジング係止アーム（７１）の両端を支持するアーム支持部（７２）を備えていることを特徴とするコネクタ（４）。
【００７１】
［２］  前記ハウジング係止アーム（７１）は、前記第１コネクタハウジング（５）内の係止突起（５１５）との係合時にコネクタハウジング相互の嵌合方向（Ｘ２）に撓み変形するように、前記係止突起（５１５）と係合するハウジング係止部（７１２）が設けられていることを特徴とする上記［１］に記載の電子機器用コネクタ（４）。
【００７２】
［３］  前記第１コネクタハウジング（５）の前記端子収容部（５１）に外嵌する筒状のパッキン（６）を備え、
前記リテーナ（７）は、前記端子収容部（５１）の前端側から前記パッキン（６）の端部に対向して、前記パッキン（６）の抜け方向への移動を規制するパッキン押さえ部（７５）を備えたことを特徴とする上記［１］又は［２］に記載のコネクタ（４）。
【符号の説明】
【００７３】
４  コネクタ
５  第１コネクタハウジング
６  パッキン
７  リテーナ
８  第２コネクタハウジング
５１  端子収容部
５２  フード部
５３  ロックアーム
５４  隙間
７１  ハウジング係止アーム
７２  アーム支持部
７４  端子ロック部
７５  パッキン押さえ部
８１  端子配列空間
８２  筒状部
８３  ロック突起
５１５  リテーナ係止部（係止突起）
５２４  リテーナ挿入口
７１２  ハウジング係止部
【図１】
2015195124.tif 000003
【図２】
2015195124.tif 000004
【図３】
2015195124.tif 000005
【図４】
2015195124.tif 000006
【図５】
2015195124.tif 000007
【図６】
2015195124.tif 000008
【図７】
2015195124.tif 000009
【図８】
2015195124.tif 000010
【図９】
2015195124.tif 000011
【図１０】
2015195124.tif 000012
【図１１】
2015195124.tif 000013